(57)【特許請求の範囲】
【請求項１】
複数の番組を同時に記録し、再生時に個々の番組を独立に再生することのできる同時記録再生装置において、
それぞれの番組の映像の情報量を検出する番組映像情報量検出部と、
この番組映像情報量検出部によって検出された上記それぞれの番組の情報量に基づいて各番組の映像の縮小率または符号化データの圧縮率を設定し、上記それぞれの番組の情報量に応じて記録時の総データ量に占める各番組の比率を変化させる記録情報比率設定部と、
この記録情報比率設定部で設定された上記各番組の映像の縮小率または符号化データの圧縮率に基づいて上記各番組の記録信号を生成する記録信号生成部とを備え、
上記記録信号生成部で生成された記録信号とその記録信号の縮小率または圧縮率とを対応つけて記録媒体へ記録するとともに、再生時には上記縮小率または圧縮率に基づく拡大率または伸長率で番組の映像を再生することを特徴とする同時記録再生装置。
【発明の詳細な説明】
【０００１】
【発明の属する技術分野】
この発明は、複数の番組を同時に記録し、再生時に個々の番組を独立に再生することのできる同時記録再生装置に係り、詳しくは、各番組の情報量を比較して各番組の記録情報量の比率を変化させながら複数番組を同時に記録するようにした同時記録再生装置に関するものである。
【０００２】
【従来の技術】
特開平１−６０１７１号公報には、複数のビデオ信号を１水平走査期間を単位としてそれぞれ信号成分毎に時間軸を圧縮し、特定の処理を行なうことにより、１台のＶＴＲ装置によって表番組と裏番組とを同時に１本のＶＴＲテープに記録できるようにした記録再生方法および装置が記載されている。
【０００３】
また、特開平６−８６２２０号公報には、複数のチューナでそれぞれ受信した複数の番組の信号をエンコーダで多重化するとともに、多重化した信号をＶＴＲに記録することで、同時に放送される複数の番組であっても、後に選択して再生できるようにした多チャンネル記録再生装置が記載されている。
【０００４】
【発明が解決しようとする課題】
これら従来の複数番組同時記録再生装置では、例えば２つの番組を同時記録する際に、番組Ａの画像を水平方向に１／２に縮小した番組Ａの縮小画像と、番組Ｂの１／２縮小画像とを合成して、例えば画面の左側に番組Ａ、右側に番組Ｂの画像が合成されたマルチ画面を生成し、このマルチ画面の信号をビデオテープ等の記録媒体に記録している。また、ディスク等の記録媒体に画像データを記録する際には、単位時間当りの記録容量を２分して、各番組Ａ，Ｂに均等に振り分けている。
【０００５】
このように、従来の複数番組同時記録再生装置では、同時記録する際の縮小比率やデータ圧縮比率は、各番組の内容にかかわらず一定である。したがって、従来の複数番組同時記録再生装置では、番組の内容にかかわらず同時に記録する番組数に応じて設定される縮小比率やデータ圧縮比率に基づいて縮小またはデータ圧縮された画像が記録されているので、細かい内容の画像や動きの大きい画像ではその再生画像の画質が充分でないことがある。
【０００６】
この発明はこのような問題点を解決するためなされたもので、同時に記録する番組の情報量に応じて各番組の縮小率やデータ圧縮率を変化させることで、所定の記録容量を保ったまま、録画画質を確保できるようにした同時記録再生装置を提供することを目的とする。
【０００７】
【課題を解決するための手段】
前記課題を解決するため、この発明は、複数の番組を同時に記録し、再生時に個々の番組を独立に再生することのできる同時記録再生装置において、それぞれの番組の映像の情報量を検出する番組映像情報量検出部と、この番組映像情報量検出部によって検出された上記それぞれの番組の情報量に基づいて各番組の映像の縮小率または符号化データの圧縮率を設定し、上記それぞれの番組の情報量に応じて記録時の総データ量に占める各番組の比率を変化させる記録情報比率設定部と、この記録情報比率設定部で設定された上記各番組の映像の縮小率または符号化データの圧縮率に基づいて上記各番組の記録信号を生成する記録信号生成部とを備え、上記記録信号生成部で生成された記録信号とその記録信号の縮小率または圧縮率とを対応つけて記録媒体へ記録するとともに、再生時には上記縮小率または圧縮率に基づく拡大率または伸長率で番組の映像を再生することを特徴とする。
【０００８】
この発明に係る同時記録再生装置は、番組映像情報量検出部で各番組の情報量を検出し、検出した各情報量に応じて各番組の縮小比率や符号化データ量を変化させながら、各番組を同時記録する。再生時は、記録時の各番組の縮小率や圧縮率に基づく拡大率や伸長率で個々の番組を再生する。
【０００９】
同時記録再生装置は、このようにそれぞれの番組の情報量を比較し、情報量に応じて記録時の総データ量に占める各番組の比率を変化させるので、情報量の多い番組ほど縮小率や圧縮率を小さくすることができる。したがって、同時記録再生装置は、各番組への配分が均等な従来の装置と比較してより高画質な記録再生を実現する。
【００１０】
【発明の実施の形態】
以下、この発明の実施の形態について添付図面に基づいて説明する。図１はこの発明に係る同時記録再生装置の全体ブロック構成図である。図１では記録媒体としてビデオテープを用い、２番組を同時に記録できるようにした同時記録再生装置ＶＴＲを示している。
【００１１】
この発明に係る同時記録再生装置ＶＴＲは、２組のチューナ２，３と、各チューナ２，３によってそれぞれ選局された各番組（選局チャンネル）に係る映像信号にＡＧＣ等の信号処理を施すビデオ信号処理部４，５と、各ビデオ信号処理部４，５で信号処理された映像信号をそれぞれデジタル映像信号に変換する各Ａ／Ｄ変換器６，７と、同時記録再生装置ＶＴＲに対して各種の動作要求を入力するための操作部８と、同時記録再生装置ＶＴＲの全体動作を制御するマイコン部（マイクロコンピュータシステム）９と、２番組同時記録処理部１０と、モニタ出力を生成するためのＤ／Ａ変換器１１ならびにビデオ信号処理部１２と、記録信号を生成するためのＤ／Ａ変換器１３ならびにビデオ記録信号処理部１４と、録音／再生用のＲ／Ｐアンプ１５と、ビデオヘッド１６と、ビデオテープ１７と、再生信号を処理するためのビデオ再生信号処理部１８と、再生信号処理が施された信号をデジタル信号に変換するＡ／Ｄ変換器１９と、再生信号中に含まれている縮小率ａを抽出する比率情報抽出処理部２０とからなる。
【００１２】
マイコン部９は、２番組同時記録処理部１０の動作指令入力端子１０ｆへ各種の動作指令を供給することで、２番組同時記録処理部１０の動作を制御する。マイコン部９は、２番組同時記録処理部１０の番組映像情報量出力端子１０ｇから出力される各番組映像の情報量に基づいて各番組映像の縮小率Ｓを設定する記録情報比率設定部を構成している。マイコン部９は、記録時において設定した縮小率Ｓを２番組同時記録処理部１０の動作指令入力端子１０ｆを介して２番組同時記録処理部１０へ供給するとともに、設定した縮小率Ｓをビデオ記録信号処理部１４へ供給する。マイコン部９は、再生時において比率情報抽出処理部２０から供給される縮小率Ｓに基づいて、各番組映像の拡大率を２番組同時記録処理部１０へ供給する構成としている。
【００１３】
各チューナ２，３は、マイコン部９からの選局指令（図示しない）に基づいて受信チャンネルの切り換えが行なえるよう構成している。
【００１４】
受信用のアンテナ１で受信された信号は、各チューナ２，３へ供給される。一方のチューナ２によって選局された番組Ａの映像信号は、ビデオ信号処理部４でＡＧＣ等の処理が施された後に、Ａ／Ｄ変換器６へ供給される。Ａ／Ｄ変換器６でＡ／Ｄ変換された番組Ａのデジタル映像信号は、２番組同時記録システム１０のＡ系統入力端子１０ａへ供給される。
【００１５】
他方のチューナ３によって選局された番組Ｂの映像信号は、ビデオ信号処理部５を介してＡ／Ｄ変換器７へ供給される。Ａ／Ｄ変換器７でＡ／Ｄ変換された番組Ｂのデジタル映像信号は、２番組同時記録システム１０のＢ系統入力端子１０ｂへ供給される。
【００１６】
２番組同時記録動作時では、２番組同時記録処理部１０に入力された２系統のデジタル映像信号は、それぞれ水平方向を圧縮された後に合成される。こうして１画面の中に２番組分の映像が合成された映像信号が記録用出力端子１０ｃから出力される。記録用出力端子１０ｃから出力された映像信号は、Ｄ／Ａ変換器１３によってアナログ映像信号へ変換されて、ビデオ記録信号処理部１４へ供給される。ビデオ記録信号処理部１４は、アナログ映像信号に対してエンファシス、ＦＭ変調、低域変換等の記録のための信号処理を施す。記録のための信号処理を施された信号は、Ｒ／Ｐアンプ１５で増幅されてビデオヘッド１６へ供給され、電磁変換によってビデオテープ１７に記録される。
【００１７】
２番組同時記録処理部１０のモニタ用出力端子１０ｄから出力された映像信号は、Ｄ／Ａ変換器１１でアナログ映像信号へ変換され、ビデオ信号処理部１２でエンファシス等の信号処理が施されるとともに、コンポジット映像信号へ変換されて図示しないモニタへ供給される。
【００１８】
ビデオテープ１７からビデオヘッド１６によって再生された映像信号は、Ｒ／Ｐアンプ１５を経てビデオ再生信号処理部１８へ供給される。ビデオ再生信号処理部１８で、低域逆変換、ＦＭ復調、ディエンファシス等の再生用の信号処理がなされた再生アナログ映像信号は、Ａ／Ｄ変換器１９でデジタル映像信号へ変換される。変換されたデジタル映像信号は、２番組同時記録処理部１０の再生系入力端子１０ｅへ供給される。
【００１９】
操作部８には、番組Ａ／番組Ｂの選択スイッチや各種の動作条件を設定するためのスイッチが設けられている。操作部８からの各種の操作入力は、マイコン部９に入力され、マイコン部９によって、各種動作モードの切り換え等が制御される。また、マイコン部９によって、１番組のみを録画する通常記録モードと２番組を同時記録する複数番組同時記録モードの管理がなされる。
【００２０】
２番組同時記録処理部１０は、動作指令入力端子１０ｆにマイコン部９から供給される動作指令に基づいて、１番組のみの記録や再生を行なう通常の動作と、２番組の同時記録動作と、同時記録番組の選択再生動作との切り換えを行なう。
【００２１】
ビデオ記録信号処理部１４は、マイコン部９側から供給される番組映像の縮小率Ｓに基づいて、垂直ブランキング期間等に縮小率Ｓを多重した映像信号を生成する構成としている。
【００２２】
比率情報抽出処理部２０は、ビデオテープ１７から再生された映像信号の垂直ブランキング期間等に多重されている縮小率Ｓを抽出し、抽出した記録モード判別信号をマイコン部９へ供給する構成としている。
【００２３】
図２は２番組同時記録処理部の一具体例を示すブロック構成図である。２番組同時記録処理部１０は、Ａ系統入力用のＬＰＦ（ローパスフィルタ）２１と、水平縮小処理部２２と、ＨＰＦ（ハイパスフィルタ）２３と、検波部２４と、Ｂ系統入力用のＬＰＦ（ローパスフィルタ）２５と、水平縮小処理部２６と、ＨＰＦ（ハイパスフィルタ）２７と、検波部２８と、各水平縮小処理部２２，２６の出力を合成する合成処理部２９と、記録用出力選択スイッチ回路３０と、モニタ出力選択用の前段選択スイッチ回路３１と、２系統同時記録された信号の再生時にいずれか一方の系統を選択して水平方向を拡大する水平拡大処理部３２と、スルー画と拡大画との選択を行なう再生画選択スイッチ回路３３と、モニタ出力の選択を行なうモニタ出力選択スイッチ回路３４とを備える。
【００２４】
ＨＰＦ（ハイパスフィルタ）２３と検波部２４とは、番組Ａの映像の情報量を検出する番組映像情報量検出部を構成している。ＨＰＦ（ハイパスフィルタ）２７と検波部２８とは、番組Ｂの映像の情報量を検出する番組映像情報量検出部を構成している。
【００２５】
Ａ系統入力端子１０ａに供給された番組Ａ（チューナＡ）に係るデジタル映像信号は、高域信号成分を抽出するためのＨＰＦ（ハイパスフィルタ）２３を通した後に、検波部２４へ供給される。検波部２４は、高域信号成分の絶対値をとり、１フィールド分の高域信号成分を加算して、番組Ａの映像の情報量データを求め、求めた番組Ａの映像の情報量データを番組情報量出力端子１０ｇを介してマイコン部９へ供給する。
【００２６】
Ｂ系統入力端子１０ｂに供給された番組Ｂ（チューナＢ）に係るデジタル映像信号は、高域信号成分を抽出するためのＨＰＦ（ハイパスフィルタ）２７を通した後に、検波部２８へ供給される。検波部２８は、高域信号成分の絶対値をとり、１フィールド分の高域信号成分を加算して、番組Ｂの映像の情報量データを求め、求めた番組Ｂの映像の情報量データを番組情報量出力端子１０ｇを介してマイコン部９へ供給する。
【００２７】
高域成分が多い映像ほど情報量が多いと言うことができる。そこで、図１に示したマイコン部９は、各番組映像情報量検出部（２３，２４、２７，２８）から供給される情報量データを比較して、各番組映像の縮小率Ｓ（番組Ａと番組Ｂとが合成された画面の分割比率）を決定する。この縮小率Ｓの決定に際して、マイコン部９は、情報量の多い映像の方の縮小率Ｓを小さくすることで（情報量の多い映像の方に広い領域を割り当てることで）、細かい画像や動きの多い画像等の情報量の多い画像の劣化を抑えるようにしている。
【００２８】
番組Ａの検波結果（番組Ａの情報量データ）をΣＡ、番組Ｂの検波結果（番組Ａの情報量データ）をΣＢとすると、マイコン部９はフィールド毎に、
番組Ａの縮小率（Ｓａｆ）＝ΣＡ／（ΣＡ＋ΣＢ）
番組Ｂの縮小率（Ｓｂｆ）＝ΣＢ／（ΣＡ＋ΣＢ）
を演算し、毎フィールド毎に演算した縮小率（Ｓａｆ，Ｓｂｆ）を予め設定したフィールド数に亘って平均化することで、実際の縮小率（Ｓａ，Ｓｂ）を設定する。フィールド毎に縮小率を変化させてもよいが、この場合は縮小率が大きく変化する可能性があるので、所定のフィールド数に亘って縮小率を平均化させたり、縮小率の変化に比較的大きな時定数を有するフィルタ処理を施すことで、実際の縮小率がゆるやかに変化するようにしている。
【００２９】
なお、２番組の同時記録を行なう場合は、フィールド毎にいずれか一方の番組の縮小率（ＳａｆまたはＳｂｆ）を求め、それを平均化して一方の番組の縮小率（ＳａまたはＳｂ）を求め、その結果に基づいて他方の番組の縮小率（ＳｂまたはＳａ）を（１−Ｓｂ）または（１−Ｓａ）の減算によって求めるようにしてもよい。
【００３０】
マイコン部９は、各番組の縮小率（Ｓａ，Ｓｂ）を図２に示す各水平縮小処理部２２，２６へ供給する。
【００３１】
Ａ系統入力端子１０ａに供給された番組Ａ（チューナＡ）に係るデジタル映像信号は、折り返し誤差の発生を防ぐためのＬＰＦ（ローパスフィルタ）２１を通した後に、水平縮小処理部２２に供給される。水平縮小処理部２２は、動作指令入力端子１０ｆを介してマイコン部９から供給される番組Ａに対する縮小率Ｓａに基づいて、番組Ａの映像を水平方向に縮小した縮小映像信号を生成して、生成した縮小映像信号を合成処理部２９へ供給する。
【００３２】
Ｂ系統入力端子１０ｂに供給された番組Ｂ（チューナＢ）に係るデジタル映像信号は、折り返し誤差の発生を防ぐためのＬＰＦ（ローパスフィルタ）２５を通した後に、水平縮小処理部２６に供給される。水平縮小処理部２６は、動作指令入力端子１０ｆを介してマイコン部９から供給される番組Ｂに対する縮小率Ｓｂ（Ｓｂ＝１−Ｓａ）に基づいて、番組Ｂの映像を水平方向に縮小した縮小映像信号を生成して、生成した縮小映像信号を合成処理部２９へ供給する。
【００３３】
合成処理部２９は、各水平縮小処理部２２，２６から供給される２系統の縮小映像信号を、番組Ａは画面の左半分、番組Ｂは画面の右半分となるよう、例えばフレームシンクロナイザ等を用いて、同期をとって合成する。合成された映像信号は、記録用出力選択スイッチ回路３０の合成画入力端子、ならびに、モニタ出力選択用の前段スイッチ回路３１の合成画入力端子へそれぞれ供給される。
【００３４】
記録用出力選択スイッチ回路３０は、２番組同時記録を行なう場合には、動作指令入力端子１０ｆに図１に示したマイコン部９側から供給されるスイッチ指令に基づいて合成画側に切り換えられる。なお、通常の１番組のみの録画を行なう場合には、マイコン部９側から供給されるスイッチ指令に基づいて、記録用出力選択スイッチ回路３０は録画する番組に対応した信号（チューナＡまたはチューナＢ）を選択する。
【００３５】
モニタ出力選択用の前段スイッチ回路３１は、動作指令入力端子１０ｆに図１に示したマイコン部９側から供給されるスイッチ指令に基づいて、チューナＡ，チューナＢ、合成画の選択切り換えを行なう。この前段スイッチ回路３１で選択された信号は、モニタ出力選択スイッチ回路３４がＥＥ系を選択した場合に、モニタ用出力端子１０ｄへ出力される。
【００３６】
再生画面選択スイッチ回路３３がスルー画を選択しており、モニタ出力選択スイッチ回路３４が再生系を選択している状態では、再生系入力端子１０ｅに供給された再生系入力は、そのままモニタ用出力端子１０ｄへ供給される。この状態で、２番組同時記録されたものが再生されると、モニタの画面には番組Ａと番組Ｂとが縮小合成された映像が再生される。使用者は、縮小合成された映像を見ながら、所望する番組を操作部８で選択することができる。この選択情報は、マイコン部９を介して水平拡大処理部３２へ供給される。
【００３７】
水平拡大処理部３２は、動作指令入力端子１０ｆを介してマイコン部９から供給される番組選択指令ならびに選択した番組の縮小率Ｓａ，Ｓｂに基づいて、指定された番組側の縮小映像に対して水平方向を拡大する処理を施し、本来の画像の大きさに拡大して拡大画を出力する。このときマイコン部９からの指令によって、再生画面選択スイッチ回路３３は、拡大画側へ切り換えられる。したがって、水平拡大処理部３２から出力される拡大画が、再生画面選択スイッチ回路３３ならびにモニタ出力選択スイッチ回路３４を介して、図示しないモニタへ供給される。
【００３８】
なお、モニタ出力選択スイッチ回路３４は、再生動作時にはマイコン部９からの指令によって再生系側が選択される。さらに、記録時にモニタ出力選択スイッチ回路３４をＥＥ系側へ切り換えることで、録画中の映像をモニタすることができる。
【００３９】
図３は２番組同時記録の動作を示す説明図である。番組Ａに係る画像３５は、一方の水平縮小処理部２２で、水平方向が１／ａに縮小された画像３６に変換される。同様に、番組Ｂに係る画像３８は、他方の水平縮小処理部２６で、水平方向が（１−１／ａ）に縮小された画像３７に変換される。合成処理部２９は、番組Ａの縮小画像３６が画面の左側、番組Ｂの縮小画像３８が画面の右側となるよう合成した合成画像３９を生成して出力する。
【００４０】
図４は２番組同時記録された映像の再生動作を示す説明図である。ビデオテープ１７等の記録媒体から再生した画像は、番組Ａと番組Ｂとが合成された合成画像４０である。図２に示した再生画選択スイッチ回路３３がスルー画側を選択している状態では、番組Ａと番組Ｂとが縮小合成された合成画像４０が再生される。同時に、図１に示した比率情報抽出部２０によって縮小率Ｓａ，Ｓｂが抽出され、マイコン部９へ供給される。
【００４１】
この合成画像４０を見て、使用者が操作部８から例えば番組Ａを選択する操作を行なうと、マイコン部９は、選択された番組を指定する番組選択指令、ならびに、選択された番組の縮小率Ｓに応じて設定される拡大率を水平拡大処理部３２へ供給する。
【００４２】
番組Ａが選択され、選択した番組Ａの記録時の縮小率Ｓａに対応する拡大率ａ倍が供給されると、拡大処理部３２は、番組Ａの縮小画像４１を水平方向にａ倍に拡大して、番組Ａの拡大画像４２を出力する。番組Ｂが選択され、記録時の縮小率Ｓｂに対応する拡大率ａ／（ａ−１）が供給されると、拡大処理部３２は、番組Ｂの縮小画像４３を水平方向にａ倍に拡大して、番組Ｂの拡大画像４４を出力する。
【００４３】
マイコン部９は、図２に示した再生画選択スイッチ回路３３を拡大画側へ、モニタ出力選択スイッチ回路３４を再生系側にそれぞれ切り換えているので、使用者が所望する番組の拡大画が図示しないモニタに供給され再生される。
【００４４】
なお、複数の番組を同時記録する際には、各番組毎の縮小率Ｓを記録媒体に記録しておく必要があるが、本実施例のように２番組を同時記録する際には、一方の番組の縮小率Ｓａを規定すると、他方の番組の縮小率Ｓｂは（１−Ｓａ）と一義的に規定されるため、記録媒体には一方の縮小率Ｓａのみを記録するようにして、記録すべき縮小率データ量の低減を図ってもよい。
【００４５】
また、マイコン部９から水平拡大処理部３２へ拡大率を供給するものでは、記録時の縮小率Ｓを供給し、水平拡大処理部３２側で縮小率に対応する拡大処理を行なうようにしてもよい。
【００４６】
以上、記録媒体としてビデオテープを用い、複数の番組映像を水平方向に縮小して同時記録する装置について説明したが、各番組の映像信号をＭＰＥＧデコーダ等を用いて圧縮符号化して、ディスク状の記録媒体に複数番組を同時に記録するようにしてもよい。この場合、各番組の情報量に応じて圧縮率や画面の縮小比率を変化させながら同時記録することで、所定の記録ビットレートの範囲内で各番組の内容に応じてビットレート配分を最適化し、録画画質を確保することができる。
【００４７】
映像の情報量の検出は、映像データにＦＦＴ（ファーストフーリエ変換）を施して高域成分を調べる構成としてもよい。
【００４８】
本実施の形態では、この同時記録再生装置ＶＴＲの内部で映像の情報量を演算によって求める構成を示したが、放送局やケーブルテレビ局等の映像を送出する側や、インターネット等の他のメディア側から映像の情報量を受け取り、受け取った情報量に基づいて同時記録する複数の番組の縮小率や圧縮率を設定するようにしてもよい。
【００４９】
また、本実施の形態では、映像の情報量に基づいて縮小率や圧縮率を変化させる構成をしめしたが、番組提供側から提供番組のジャンル情報が供給される場合は、そのジャンル情報に基づいて各番組の縮小率や圧縮率を設定するようにしてもよい。
【００５０】
さらに、各番組の縮小率や圧縮率を手動等で設定する設定部を設け、この同時記録再生装置ＶＴＲの使用者が、同時記録する番組の内容に応じて各番組の縮小率や圧縮率を任意に設定できるようにしてもよい。
【００５１】
本実施の形態は、２番組を同時に記録する場合を示したが、複数の番組同時記録に拡張することができる。また、本実施の形態では、縮小率Ｓを垂直ブランキング期間の挿入してビデオテープ等の記録媒体に記録する構成を示したが、ＶＨＳの場合はコントロールトラックに、８ｍｍの場合はＰＣＭ領域，Ｖ−Ｐガード領域に、ＤＶＣ，ＤＶＤの場合はシステムデータ領域等に、縮小率Ｓに係る信号またはデータを記録するようにしてもよい。さらに、例えばＤＶＣのカセットメモリー等のように、外部記録媒体であってもよい。
【００５２】
【発明の効果】
以上説明したように、この発明に係る同時記録再生装置では、同時記録する各番組の情報量を検出し、検出された各番組の情報量に応じて記録時の総データ量に占める各番組の比率を変化させるようにしたので、情報量の多い番組ほど縮小率や圧縮率を小さくすることができる。したがって、各番組への配分が均等な場合よりも高画質な記録再生が実現できる。
【図面の簡単な説明】
【図１】この発明に係る同時記録再生装置の全体ブロック構成図である。
【図２】２番組同時記録処理部の一具体例を示すブロック構成図である。
【図３】２番組同時記録の動作を示す説明図である。
【図４】２番組同時記録された映像の再生動作を示す説明図である。
【符号の説明】
２，３  チューナ、４，５  ビデオ信号処理部、８  操作部、９  記録情報比率設定部を構成するマイコン部、１０  ２番組同時記録処理部、１４  ビデオ記録信号処理部、１６  Ｒ／Ｐ（記録／再生）ヘッド、１７  ビデオテープ、１８ビデオ再生信号処理部、２０  比率情報抽出処理部、２２，２６  水平縮小処理部、２３，２７  番組映像情報量検出部を構成するＨＰＦ（ハイパスフィルタ）、２４，２８  番組映像情報量検出部を構成する検波部、２９  合成処理部、３２  水平拡大処理部、Ｓ  縮小率、ＶＴＲ  同時記録再生装置
【図１】
0003567607.tif 000002
【図２】
0003567607.tif 000003
【図３】
0003567607.tif 000004
【図４】
0003567607.tif 000005